(57)【要約】【課題】  機枠と筐体枠との間に針金等を挿入することによって容易に解錠が行われることのない施錠装置及び遊技機を提供すること。【解決手段】  本発明に係る施錠装置１は、被係合部４６ａを有する第１枠体３に対して開閉可能に揺動支持される第２枠体５に設置されて、被係合部４６ａと係合可能な係合部４７ａを含む本体部４２と、挿入された解錠鍵４５の回転に連動して、係合部４７ａを被係合部４６ａに対して施錠又は解錠させる方向へと本体部４２を移動させる本体可動部４０、４１と、本体部４２を移動可能に保持するとともに、本体部４２よりも第１枠体３と第２枠体５との開閉端部側に配置される本体ガイド部４３とを有する。【選択図】  図３
2008237270.tif 000002
【特許請求の範囲】
【請求項１】
被係合部を有する第１枠体に対して開閉可能に揺動支持される第２枠体に設置されて、該被係合部と係合可能な係合部を含む本体部と、
挿入された解錠鍵の回転に連動して、前記係合部を前記被係合部に対して施錠又は解錠させる方向へと前記本体部を移動させる本体可動部と、
前記本体部を移動可能に保持するとともに、該本体部よりも前記第１枠体と前記第２枠体との開閉端部側に配置される本体ガイド部と、を有する施錠装置。
【請求項２】
前記本体可動部が前記本体部よりも前記開閉端部側に配置され、
該本体可動部と該本体部との連動部近傍において、該本体可動部と該本体部との間に前記本体ガイド部が不存在である請求項１に記載の施錠装置。
【請求項３】
前記本体ガイド部が、前記開閉端部における前記第１枠体と前記第２枠体との閉鎖状態における間隙を閉塞する閉塞部を有する請求項１又は請求項２に記載の施錠装置。
【請求項４】
前記第１枠体と、
前記第２枠体と、
該第２枠体に保持され、遊技媒体による遊技を実現する遊技装置体ユニットと、
該遊技装置体ユニットに対して一定距離以上離間して配置された前面透明板と、
遊技媒体を前記遊技装置体ユニットの前面に形成される遊技領域に向けて発射するための発射ユニットと、
請求項１から請求項３のうちいずれか１項に記載の施錠装置と、
を有する遊技機。
【発明の詳細な説明】
【技術分野】
【０００１】
本発明は、施錠装置及び遊技機に係り、特に機枠や装飾枠が解錠鍵等を用いることなく不正に開閉されてしまうことを防止することが可能な施錠装置及び遊技機に関する。
【背景技術】
【０００２】
パチンコ機等の弾球遊技機（以下、遊技機という。）では、弾球された遊技媒体（以下、球という。）が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待して、遊技を楽しむことができる。
【０００３】
このようなパチンコ機は、機器全体が複数の枠により囲まれるように構成されており、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。
【０００５】
さらにその機枠の前面には装飾枠が機枠に対して開閉及び施錠可能に配置され、この装飾枠が遊技盤前面の前面透明板やその周囲に配置される各種装飾部材を保持している。この機枠や装飾枠等の枠体を施錠する施錠装置としては、例えば特許文献１に開示のものが知られている。
【０００６】
このように、パチンコ機は、遊技者の遊技盤に対する不正アクセスが前面からも上下左右側面からも困難となるように構成されている。
【０００７】
【特許文献１】特開２００６−１３６６１６号公報
【発明の開示】
【発明が解決しようとする課題】
【０００８】
しかしながら、遊技に対する不正アクセスを行うために、機枠と筐体枠との間に針金等を挿入して施錠装置を解錠する不正行為が多々発生しており、このような不正行為によってパチンコホールの店員に気づかれることなく遊技機の遊技処理が不正に操作されるおそれがあった。
【０００９】
特に、一般的な遊技機の施錠装置は、機枠に設けられた係合金具が解錠鍵の回転に伴って稼動して、筐体枠や装飾枠に設けられた被係合部との係合を解除する構造となっていたので、隙間から入れられた針金によって係合金具を強制的に稼動させて、施錠装置の解錠が行われるおそれがあった。
【００１０】
本発明は上記の事情に鑑みて為されたもので、機枠と筐体枠との間に針金等を挿入することによって容易に解錠が行われることのない施錠装置及び遊技機を提供することを例示的課題とする。
【課題を解決するための手段】
【００１１】
上記の課題を解決するために、本発明の例示的側面としての施錠装置は、被係合部を有する第１枠体に対して開閉可能に揺動支持される第２枠体に設置されて、被係合部と係合可能な係合部を含む本体部と、挿入された解錠鍵の回転に連動して、係合部を被係合部に対して施錠又は解錠させる方向へと本体部を移動させる本体可動部と、本体部を移動可能に保持するとともに、本体部よりも第１枠体と第２枠体との開閉端部側に配置される本体ガイド部と、を有することを特徴とする。
【００１２】
本発明に係る施錠装置では、本体ガイド部が、本体部よりも第１枠体と第２枠体との開閉端部側に配置される構造となっているので、第１枠体と第２枠体との間に針金等を挿入させた場合であっても、針金の先端が本体ガイド部に阻害されて本体部に到達しにくくなる。このため、容易に本体部を移動させることができず、係合部を被係合部に対して解錠させることが困難となるので、遊技者による遊技機内への不正なアクセスを防止することができる。
【００１３】
なお、第１枠体として、例えば遊技機の周囲を囲む筐体枠を用いる場合には、第２枠体として、その筐体枠の前方に開閉可能に配置されて遊技場装置ユニットを保持する機枠を用いることができる。また、第１枠体としては、第２枠体としての機枠の前方に開閉可能に配置されて装飾部材等を保持する装飾枠を用いることもできる。
【００１４】
また、「前」とはこの遊技装置体がパチンコ機等の遊技機に設置された際に、遊技盤面から遊技者に向かう方向、すなわち遊技盤裏面から表面に向かう方向であり、「後」とはその反対に遊技盤表面から裏面に向かう方向である。
【００１５】
さらに、本体可動部が本体部よりも開閉端部側に配置され、本体可動部と本体部との連動部近傍において、本体可動部と本体部との間に本体ガイド部が不存在であるものであってもよい。
【００１６】
このように、本体可動部と本体部との連動部近傍において、本体可動部と本体部との間に本体ガイド部が不存在である場合には、本体可動部によって本体部を可動させるため連動部（例えば、回動カム等）の動作が本体ガイド部によって阻害されない。したがって、本体ガイド部を介して本体部の反対側に本体可動部が配置される構造であっても、本体可動部で本体部を直接的にかつ円滑に可動させることが可能となる。
【００１７】
さらに、本体ガイド部が、開閉端部における第１枠体と第２枠体との閉鎖状態における間隙を閉塞する閉塞部を有するものであってもよい。
【００１８】
このように、第２枠体と第１枠体との間隙を閉塞するための閉塞部を本体ガイド部が備えることによって、第２枠体と第１枠体との間隙に向けて挿入される針金の侵入を阻止することができるので、より一層、不正抑制効果を高めることが可能となる。
【００１９】
また、本発明の他の例示的側面としての遊技機は、前記第１枠体と、前記第２枠体と、第２枠体に保持され、遊技媒体による遊技を実現する遊技装置体ユニットと、遊技装置体ユニットに対して一定距離以上離間して配置された前面透明板と、遊技媒体を前記遊技装置体ユニットの前面に形成される遊技領域に向けて発射するための発射ユニットと、上述したいずれかの施錠装置とを有することを特徴とする。
【００２０】
上述したような施錠装置を遊技機が備えることによって、パチンコホールにおける不正を効果的に抑制することができ、安全で快適な遊技の提供に寄与することができる。ここで、例えば遊技媒体はパチンコ機等の遊技機に用いられる球、遊技装置体はその球が流下するための遊技盤である。
【００２１】
本発明の更なる目的又はその他の特徴は、以下添付図面を参照して説明される好ましい実施の形態によって明らかにされるであろう。
【発明の効果】
【００２２】
本発明によれば、第１枠体と第２枠体との間に針金等を挿入させた場合であっても、針金の先端が本体ガイド部に阻害されて本体部に到達しにくくなる。このため、容易に本体部を可動させることができず、係合部を被係合部に対して解錠させることが困難となるので、遊技者による遊技機内への不正なアクセスを防止することができる。
【発明を実施するための最良の形態】
【００２３】
以下、本発明の実施の形態について図面を用いて説明する。図１は、本発明の実施の形態に係る施錠装置を有する遊技機としてのパチンコ機２の外観を示す外観斜視図である。パチンコ機２は、筐体枠（第１枠体）３、遊技盤ユニット（遊技装置体ユニット）４、機枠（第２枠体）５、前面透明板６、装飾枠７、球発射装置（図示せず。）、上皿（貯留皿）８、発射ユニット（図示せず）、施錠装置１（図２〜図４参照。）を有して概略構成されている。
【００２４】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００２５】
筐体枠３は、このパチンコ機２の周囲を囲むための枠体であり、平面視略長方形に構成されている。材料としては、木材が用いられることが多いが、他に樹脂やアルミ等の金属が用いられることもある。筐体枠３は、パチンコ機２の上下面及び左右側面を囲い、前面（すなわち、遊技者側）から見て左側面側には機枠５及び装飾枠７を揺動支持するためのヒンジ部１１が設けられている。
【００２６】
また、筐体枠３には後述する施錠装置１の係合爪（係合部）４７ａに係合する係合孔（被係合部）４６ａが被係合部として形成されている（図４参照）。この係合孔４６ａに係合爪４７ａが係合されることによって、機枠５が筐体枠３に対して施錠された状態となる。
【００２７】
遊技盤ユニット４は、遊技盤１３とレール飾り１４とを有して構成されている。遊技盤１３は、パチンコ機２において遊技媒体としての球２０による遊技を実現するためのものである。遊技盤１３の遊技盤面１３ａには、略円形状に開口が形成されたレール飾り１４が取り付けられており、このレール飾り１４の内側面１４ａと遊技盤面１３ａとによって遊技領域１３ｂが画定されている。
【００２８】
その遊技領域１３ｂ内には多数のゲージ２４、入賞口２６、図柄表示装置２８、アウト口３０、その他の各種役物が配置されている。図示しない球発射装置により球２０が遊技領域１３ｂ内の上部に向けて発射されると、球２０がゲージ２４に衝突してその流下方向を変えつつ遊技領域１３ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤１３上を球２０が流下する際に、様々な遊技が演出されるようになっている。
【００２９】
遊技盤１３の裏面側には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３０】
機枠５は、遊技盤１３を保持するための枠体であり、その中央近傍に遊技盤１３を取り付けるための取付け開口が形成されている。取付け開口の周囲に遊技盤１３を着脱可能に取り付けるための取付け部を有し、機枠５は遊技盤１３の周囲を囲むように構成されている。その機枠５は、筐体枠３の前面側に配置されてヒンジ部１１によって前面開閉可能に揺動支持されている。機枠５は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。また、このパチンコ機２全体の制御を行うための主基板（遊技制御基板、図示せず。）やセンサ基板（図示せず。）も配置されている。
【００３１】
前面透明板６は、遊技盤１３に対して一定距離以上離間して配置された透明板である。前面透明板６は透明平板で形成され、遊技盤１３との間に球２０が流下する流下空間を形成する機能、遊技者が前面透明板６を通して遊技盤１３を視認できるように視認性を確保する機能、遊技者が遊技盤１３に不正にアクセス（接触）できないように不正アクセスを防止する機能、を発揮する。
【００３２】
前面透明板６の素材としては一般にガラスが使用されるが、透明アクリル等の樹脂材料が使用されてもよい。また、本実施の形態においては、前面透明板６が装飾枠７に保持されるが、前面透明板６が遊技盤１３の前面に取り付けられて、遊技盤１３とともに機枠５に保持されるように構成されていてもよい。
【００３３】
装飾枠７は、前面透明板６又はその周囲を囲む装飾部材３２を保持するための枠体である。本実施の形態においては、装飾枠７は、前面透明板６及び装飾部材３２の両方を保持している。その装飾枠７は、機枠５の前面側に配置されてヒンジ部１１において機枠５とともに筐体枠３に軸支され、機枠５に対して前面開閉可能に揺動支持されている。
【００３４】
装飾枠７は樹脂又は金属によって形成され、その中央部には前面透明板６を取り付けるための取付け開口が形成されている。その前面透明板６の周囲には、パチンコ機２を装飾するための造形・色彩・ランプが付された装飾部材３２が取り付けられ、パチンコ機２の遊技演出に寄与している。
【００３５】
なお、本実施の形態では、筐体枠３に設けられたヒンジ部１１に機枠５及び装飾枠７の両方が軸支される構成となっている。しかしながら、機枠５と装飾枠７とがそれぞれ異なるヒンジ部によって軸支されていてももちろんよい。筐体枠３に機枠５を軸支するヒンジ部が設けられ、機枠５に装飾枠７を軸支する別のヒンジ部が設けられていてももちろんよい。
【００３６】
また、装飾枠７の後面（すなわち、機枠５側の面。）の端部には、後述する施錠装置１の係合爪（係合部）４７ｂに係合する係合孔（被係合部）４６ｂが被係合部として形成されている。この係合孔４６ｂに係合爪４７ｂが係合されることによって、装飾枠７が機枠５に対して施錠された状態となる。
【００３７】
上皿８は、球２０を発射ユニットに導くべく貯留するためのもので、下皿８ａとともに遊技者の持ち球を貯留する機能を有する。上皿８は、パチンコ機２の前面であって遊技盤１３の下方、すなわち装飾枠７の下方部分に配置され、下皿８ａは、その上皿８の更に下方に配置されている。本実施の形態においては、上皿８と下皿８ａとを別々に構成しているが、もちろん上皿８と下皿８ａとが一体となって１つの球皿が構成されていてもよい。
【００３８】
上皿８は、景品球としてパチンコ機２から払い出された球２０を受け取る機能や、その球２０を球供給装置（図示せず。）を介して発射ユニットに導くべく貯留する機能を有している。遊技終了時には、遊技者が球排出ボタン８ｂを操作することにより、球２０を上皿８から下皿８ａへと排出することができるようになっている。
【００３９】
発射ユニットは、球供給装置によって上皿８から発射位置に送り出された球２０を遊技領域１３ｂの上部に向けて発射（弾球）するためのものである。発射ユニットは、例えば発射位置の球２０を弾球する発射杆、その発射杆を駆動する発射モータ、発射杆を付勢して弾球のための力を発生させる発射バネ等を有してユニット構成され、機枠５に取り付けられている。その発射ユニットによる球発射のため、遊技者の操作に基づいて球発射のオンオフ及びその発射強度調整を実現する発射ハンドル９がパチンコ機２の前面下部に設けられているが、詳細は省略する。
【００４０】
施錠装置１は、筐体枠３と機枠５と装飾枠７とを開閉可能又は不可能に、解錠又は施錠するためのものである。図２は、この施錠装置１の概略構造を示した斜視図であり、図３は、施錠装置１が設置された遊技機の水平断面図である。施錠装置１は、機枠５に設けられており、キーシリンダ（本体可動部）４０と、回転カム（本体可動部、連動部）４１と、ステー（本体部）４２と、ステーガイド枠（本体ガイド部）４３とを有して大略構成されている。
【００４１】
ステー４２は、長尺板体の下端部が屈曲された部材であって、下端部の屈曲された部分（屈曲部４２ａ）の側壁面には、回転カム４１の先端４１ａを挿入するための挿入開口４２ｂが形成されており、回転カム４１の回転に連動してステー４２が上下動される構造となっている。ステー４２の前後側部には、筐体枠３に形成された係合孔４６ａに係合可能な係合爪４７ａと、装飾枠７に形成された係合孔４６ｂに係合可能な係合爪４７ｂとがそれぞれ２つずつ設けられている。
【００４２】
ステーガイド枠４３は、ステー４２の側面に例えばボス等を介してスライド可能に当接するガイド本体部４３ａと、ガイド本体部４３ａの端部において直角に連結される正面板部４３ｂと、正面板部４３ｂにおいてガイド本体部４３ａとの連結端部の反対側端部に形成される閉塞片（閉塞部）４３ｃとを有して概略構成されている。
【００４３】
ガイド本体部４３ａは、図３に示すように、前面視でステー４２の右側、より詳細には、筐体枠３に対して開閉可能に揺動軸支された機枠５の開閉端部側に配置されており、ステー４２の開閉端部側の側面を覆うようにしてステー４２を保持し、ステー４２の上下動を補助する構造となっている。ガイド本体部４３ａの壁面には貫通孔等が形成されておらず、開閉端部側よりガイド本体部４３ａを臨む場合には、ガイド本体部４３ａによりステー４２が覆われるようになっている。したがって、開閉端部側からピアノ線等の不正部材によってガイド本体部４３ａを経由してステー４２にアクセスすることが極めて困難となっており、ステー４２への不正行為の防止が効果的に図られている。
【００４４】
ステーガイド枠４３が正面板部４３ｂにおいて機枠５の背面に固定されており、正面板部４３ｂが上述した反対側端部が機枠５の端部まで延設され、そして閉塞片４３ｃがその端部より更に後側へと屈曲するようにして形成されている。閉塞片４３ｃは、図３に示すように正面板部４３ｂの端部より後方へと屈曲形成されているので、筐体枠３と機枠５との閉鎖状態における間隙Ｒを閉塞する機能を備えている。
【００４５】
また、ガイド本体部４３ａには、屈曲部４２ａの側壁面へと延設される回転カム４１を案内するための開口部４３ｄが形成されている。なお、本実施の形態では、回転カム４１を案内するための開口部４３ｄを形成することとしたが、回転カム４１の設置位置近傍において回転カム４１とステー４２との連動がガイド本体部４３ａによって阻害されない構造、例えば、回転カム４１の設置位置近傍においてガイド本体部４３ａが存在しない構造であれば、どのような構造であってもよい。
【００４６】
キーシリンダ４０は、ガイド本体部４３ａに対して機枠５の開閉端部側に配置されている。キーシリンダ４０には、図４に示すように、鍵穴４４が形成されており、鍵穴４４に鍵（解錠鍵）４５が正しく挿入されると、鍵４５の回転によって回転カム４１が回転可能となるように構成されている。その回転カム４１の先端は、上述したように開口部４３ｄを介してステー４２の屈曲部４２ａへと延設され、屈曲部４２ａの側壁面に形成される挿入開口４２ｂに挿入されている。このため、図４に示すように、キーシリンダ４０の回転に応じて回転カム４１の先端４１ａ位置が上下動し、ステー４２が上下に移動する構造となっている。
【００４７】
この施錠装置１において、施錠時すなわち鍵４５が鍵穴４４に挿入されない場合には、図４に示すように、回転カム４１の先端が側方（図中の横方向）となるように設定されている。この状態では、ステー４２に設けられた係合爪４７ａが筐体枠３に設けられた係合孔４６ａに係合しており、筐体枠３と機枠５とが施錠された状態で閉成される。また、ステー４２に設けられた係合爪４７ｂも装飾枠７に設けられた係合孔４６ｂに係合しており、機枠５と装飾枠７とが施錠された状態で閉成される。
【００４８】
鍵４５を鍵穴４４に挿入し、図中反時計方向に回転させると、回転カム４１も反時計方向に回転する。それに伴い、回転カム４１の先端が下方向に回転されるので、ステー４２が下方に移動して係合爪４７ｂと係合孔４６ｂとの係合が外れ、装飾枠７と機枠５とが解錠状態となる。一方で、回転カム４１の先端位置が下方向に回転されると、ステー４２が下方に移動して係合爪４７ａと係合孔４６ａとは係合されたままの状態となり、筐体枠３と機枠５とは施錠状態のままとなる。このようにキーシリンダ４０が反時計方向に回転されると、係合爪４７ｂが係合孔４６ｂから外れて解錠され、機枠５に対して装飾枠７を開成させることが可能となる。
【００４９】
一方で、鍵４５を鍵穴４４に挿入し、図中時計方向に回転させると、回転カム４１も時計方向に回転する。それに伴い、回転カム４１の先端が上方向に回転されるので、ステー４２が上方に移動して係合爪４７ａと係合孔４６ａとの係合が外れ、筐体枠３と機枠５とが解錠状態となる。一方で、回転カム４１の先端位置が上方向に回転されると、ステー４２が上方に移動して係合爪４７ｂと係合孔４６ｂとは係合されたままの状態となり、装飾枠７と機枠５とは施錠状態のままとなる。このようにキーシリンダ４０が時計方向に回転されると、係合爪４７ａが係合孔４６ａから外れて解錠されて、筐体枠３に対して機枠５を開成させることが可能となる。
【００５０】
このように施錠装置１が構成された場合、ステーガイド枠４３のガイド本体部４３ａが、機枠５の開閉端部側からステー４２を覆うようにしてステー４２の上下動を補助する構造となっているので、機枠５と筐体枠３との間隙Ｒに対して開閉端部側から針金等を挿入した場合であっても、針金先端がステーガイド枠４３のガイド本体部４３ａに阻まれる。特に、ガイド本体部４３ａの壁面に孔などが設けられておらず、ステー４２がガイド本体部４３ａによって覆われて、開閉端部側から全く露出されない構造となっているので、間隙Ｒに針金等を挿入した場合であっても、針金等の進入がガイド本体部４３ａによって止められてしまう。このため、ステー４２に針の先端が到達することができず、ステー４２を不正に上下動させることができない。従って、間隙Ｒに針金等を入れても容易に施錠装置１を解錠することができなくなり、筐体枠３内への不正なアクセスを防止することが可能となる。
【００５１】
さらに、ステーガイド枠４３には、機枠５と筐体枠３との間隙Ｒを閉塞する閉塞片４３ｃが形成されているので、機枠５と筐体枠３との間隙Ｒに針金等を入れようとしても閉塞片４３ｃによってその進入が阻まれることとなり、針金を機枠５と筐体枠３との間隙Ｒに入れることすら困難となる。このため、結果として針金等を用いて施錠装置１を解錠することが困難となり、筐体内への不正なアクセスをさらに防止することが可能となる。
【００５２】
さらに、ステーガイド枠４３のガイド本体部４３ａには、屈曲部４２ａの側壁面へと延設される回転カム４１の先端を導く（通す）ための開口部４３ｄが形成されているので、キーシリンダ４０がガイド本体部４３ａに対して機枠５の開閉端部側に配置される場合であっても、ガイド本体部４３ａによって回転カム４１の回転が阻害されることがなく、回転カム４１の回転に連動させてステー４２の上下動を行うことが可能となる。
【００５３】
また、パチンコ機２に施錠装置１を設けることによって、パチンコホールにおける不正を効果的に抑制することができ、安全で快適な遊技の提供に寄与することができる。
【００５４】
なお、本実施の形態においては、遊技機としてのパチンコ機２について説明したが、上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００５５】
以上、本発明の好ましい実施の形態を説明したが、本発明はこれらに限定されるものではなく、その要旨の範囲内で様々な変形や変更が可能である。例えば、上述した実施の形態では、本発明に係る第１枠体として筐体枠３を用い、第２枠体として機枠５を用いる場合について説明を行ったが、第１枠体および第２枠体は上述した筐体枠３および機枠５のみに限定されるものではない。例えば、第１枠体として機枠５を用いる場合には、第２枠体として装飾枠７を用いることができ、少なくとも互いに前面開閉可能に揺動支持される２つの枠体であるならば、いずれか一方を第１枠体とし、他方を第２枠体として本発明に係る施錠装置を設置することが可能である。
【００５６】
また、本実施の形態では、回転カム４１に連動させてステー４２を上下動させるために、ガイド本体部４３ａに開口部４３ｄを形成する場合について説明を行ったが、回転カム４１の設置位置近傍において回転カム４１とステー４２との連動がガイド本体部４３ａによって阻害されない構造であれば、必ずしも開口部４３ｄが形成されていなくてもよい。例えば、ガイド本体部４３ａを回転カム４１近傍位置までの長さとし、回転カム４１の配設位置よりも下側にガイド本体部４３ａを設けない構造とすることも可能である。このようにガイド本体部４３ａの下端を回転カム４１の近傍までとすることによって、回転カム４１に連動するステー４２の上下動をガイド本体部４３ａで阻害してしまうことを防止することができる。
【図面の簡単な説明】
【００５７】
【図１】本発明の実施の形態に係るパチンコ機を示した外観斜視図である。
【図２】本発明の実施の形態に係る施錠装置を示した外観斜視図である。
【図３】本発明の実施の形態に係る施錠装置が設けられた遊技機の水平断面図である。
【図４】本発明の実施の形態に係る施錠装置の回転カムの回転とステーの上下動との関係を示した斜視図である。
【符号の説明】
【００５８】
１：施錠装置
２：パチンコ機（遊技機）
３：筐体枠
４：遊技盤ユニット
５：機枠
６：前面透明板
７：装飾枠
８：上皿（貯留皿）
８ａ：下皿
８ｂ：球排出ボタン
９：発射ハンドル
１１：ヒンジ部
１３：遊技盤
１３ａ：遊技盤面
１３ｂ：遊技領域
１４：レール飾り
１４ａ：内側面
２０：球（パチンコ球）
２４：ゲージ
２６：入賞口
２８：図柄表示装置
３０：アウト口
３２：装飾部材
４０：キーシリンダ（本体可動部）
４１：回転カム（本体可動部、連動部）
４１ａ：先端
４２：ステー（本体部）
４２ａ：屈曲部
４２ｂ：挿入開口
４３：ステーガイド枠（本体ガイド部）
４３ａ：ガイド本体部
４３ｂ：正面板部
４３ｃ：閉塞片（閉塞部）
４３ｄ：開口部
４４：鍵穴
４５：鍵（解錠鍵）
４６ａ，４６ｂ：係合孔（被係合部）
４７ａ，４７ｂ：係合爪（係合部）
Ｒ：間隙
【図１】
2008237270.tif 000003
【図２】
2008237270.tif 000004
【図３】
2008237270.tif 000005
【図４】
2008237270.tif 000006